(57)【要約】【課題】未視聴の記録済み番組の視聴を促進する。【解決手段】制御部１４は、ジャンルごとの視聴頻度を示す視聴履歴ヒストグラムと電子番組表情報とジャンルに対するユーザの嗜好度を含む嗜好情報とを用いて、放送予定の番組の中からユーザの視聴優先度が低いと想定される非視聴番組を策定し、情報記録再生処理部１２に記録されている未視聴の記録番組の中から、ユーザの嗜好度が高いジャンルから順に再生候補番組を策定し、電子番組表における非視聴番組の番組内容表示を再生候補番組の番組内容表示に差し替えて表示させる。【選択図】図１
2008277958.tif 000002
【特許請求の範囲】
【請求項１】
複数の番組と、その各番組の放送開始終了時刻、番組名、およびジャンル情報を有する番組情報データとを含んで放送される放送波から所望の番組を受信する受信手段と、
放送予定の複数の番組の放送開始終了時刻、番組名、およびジャンル情報を含む電子番組表情報を取得する電子番組表取得手段と、
受信した前記番組に対応する前記番組情報データから、放送開始終了時刻、番組名、およびジャンル情報を取得し、これらを蓄積して視聴履歴情報を生成するとともに、前記視聴履歴情報と前記電子番組表情報とを用いて、前記受信した番組のジャンルごとの視聴頻度を算出する視聴頻度算出手段と、
前記受信した番組、およびこの番組に対応する前記番組情報データを記録する記録手段と、
前記記録手段に記録されている記録番組の記録開始終了時刻、番組名、ジャンル情報、および前記記録番組が視聴済みであるか未視聴であるかを示す視聴情報を含む記録番組リストを生成し保持する記録番組情報生成手段と、
外部操作に応じて入力される複数のジャンル情報とその各ジャンル情報が示すジャンルに対するユーザの嗜好度とを含む嗜好情報を生成する嗜好情報生成手段と、
前記視聴頻度と前記電子番組表情報と前記嗜好情報とを用いて、前記放送予定の複数の番組の中からユーザの視聴優先度を算出し、この算出した視聴優先度が低い番組から順に所定数の非視聴番組を策定する非視聴番組策定手段と、
未視聴の前記記録番組のうち、ユーザの嗜好度が高いジャンルの前記記録番組であり、かつ、前記非視聴番組の放送時間内に完結する前記記録番組から順に前記所定数選択し、この選択した記録番組を再生候補番組として策定する再生候補番組策定手段と、
前記電子番組表における前記所定数の非視聴番組の番組内容表示を前記所定数の再生候補番組の番組内容表示に差し替えて表示する番組表変更表示手段と、
前記所定数の再生候補番組のうちのいずれかを再生する指示が入力された場合、前記非視聴番組の番組内容と前記再生候補番組の番組内容とをともに表示した選択画面を生成して表示する選択画面表示手段と
を備えることを特徴とする受信記録再生装置。
【請求項２】
複数の番組と、その各番組の放送開始終了時刻、番組名、およびジャンル情報を有する番組情報データとを含んで放送される放送波から所望の番組を受信する受信手段と、
放送予定の複数の番組の放送開始終了時刻、番組名、およびジャンル情報を含む電子番組表情報を取得する電子番組表取得手段と、
受信した前記番組、およびこの番組に対応する前記番組情報データを記録する記録手段と、
前記記録手段に記録されている記録番組の記録開始終了時刻、番組名、ジャンル情報、および前記記録番組が視聴済みであるか未視聴であるかを示す視聴情報を含む記録番組リストを生成し保持する記録番組情報生成手段と、
外部操作に応じて入力される複数のジャンル情報とその各ジャンル情報が示すジャンルに対するユーザの嗜好度とを含む嗜好情報を生成する嗜好情報生成手段と、
電子番組表の表示中に外部操作に応じて、前記放送予定の複数の番組の中からユーザが視聴しないと判断した非視聴番組の選択指示が入力された場合、未視聴の前記各記録番組の記録開始終了時刻からの経過時間、および前記嗜好情報を用いて、未視聴の前記各記録番組の中から再生候補番組を選択する選択手段と、
前記電子番組表における前記非視聴番組の番組内容表示を前記再生候補番組の番組内容表示に差し替えて表示する番組表変更表示手段と
を備えることを特徴とする受信記録再生装置。
【発明の詳細な説明】
【技術分野】
【０００１】
本発明は、デジタル放送を受信し、記録再生する受信記録再生装置に関する。
【背景技術】
【０００２】
従来、デジタル放送受信システムにおいては、デジタル信号圧縮技術を用いて映像信号および音声信号を圧縮するとともに、複数番組の映像デジタル信号および音声デジタル信号を時分割多重したストリーム（トランスポートストリーム）を、予め定められている周波数のデジタル放送波に変調して放送している。
【０００３】
一方、このようなデジタル放送を受信する放送受信装置は、アンテナを介して受信したデジタル放送波から所定周波数のデジタル放送波をチューナによって選択し、この選択したデジタル放送波に含まれる複数のチャンネルのうちの１つをデマルチプレクス処理によって選択し、この選択したチャンネルのデジタル信号をデコードすることによって、映像信号および音声信号を出力するようになっている。
【０００４】
また、このようなデジタルテレビ放送では、従来のアナログ放送と同様に映像や音声を送信することに加え、サービス情報（番組名、番組内容、番組開始時刻、番組継続時間、番組ジャンル情報等）も送信しており、受信装置側ではＯＳＤ（オンスクリーンディスプレイ）機能を用いた電子番組表（ＥＰＧ：Electronic Program Guide）表示機能によって、多チャンネル放送のなかからユーザが望む番組を選択できるようになっている。
【０００５】
さらに、上記電子番組表の表示機能を用い、放送が予定されている番組を電子番組表上で選択して視聴予約や録画予約を行うことが可能になっている。また、番組ジャンル情報を用い、ユーザが入力したジャンルに対応する番組ジャンル情報を有する番組を抽出して一覧表示するといったことも行えるようになっている。
【０００６】
しかしながら、一般的なチャンネルと時間軸の２次元マトリクス表示の電子番組表を参照してデジタル放送を受信、記録、および再生する装置においては、多チャンネル化が進み、膨大に存在する番組の中から、ユーザが視聴、記録、および再生を希望する番組を選択する操作が非常に煩雑なものとなっている。
【０００７】
そこで、特許文献１では、過去の視聴履歴、記録履歴などをもとに、ユーザの番組視聴優先順位を求め、時間軸に対して１次元に表示し、優先番組を直感的に把握できるようにし、所望の番組選択操作を大幅に低減する技術が提案されている。また、特許文献２では、視聴したい番組が無い時間帯を利用して、記録済み番組を効率よく再生視聴する技術が提案されている。
【特許文献１】特開２０００−３３３０８５号公報
【特許文献２】特開２００６−８６６０７号公報
【発明の開示】
【発明が解決しようとする課題】
【０００８】
特許文献１に開示された受信記録再生装置は、ユーザが視聴を希望すると想定される番組を予測して提示し、ユーザが視聴、記録を逃すことを防止するものであるが、これにより大量に記録されるようになった番組が未視聴のまま放置されることがあった。そこで、未視聴の記録済み番組の視聴を如何に促進するかが課題であった。
【０００９】
また、特許文献２では、ユーザが自身で録画予約をした番組が存在しない時間帯に録画済みの番組を視聴する技術が提案されているが、放送中の番組と記録済み未視聴番組とのどちらを視聴するかを簡易に比較、選択する手段が提供されていない。
【００１０】
本発明は上記に鑑みてなされたもので、未視聴の記録済み番組の視聴を促進することができる受信記録再生装置を提供することを目的とする。
【課題を解決するための手段】
【００１１】
上記目的を達成するため、本発明の受信記録再生装置は、複数の番組と、その各番組の放送開始終了時刻、番組名、およびジャンル情報を有する番組情報データとを含んで放送される放送波から所望の番組を受信する受信手段と、放送予定の複数の番組の放送開始終了時刻、番組名、およびジャンル情報を含む電子番組表情報を取得する電子番組表取得手段と、受信した前記番組に対応する前記番組情報データから、放送開始終了時刻、番組名、およびジャンル情報を取得し、これらを蓄積して視聴履歴情報を生成するとともに、前記視聴履歴情報と前記電子番組表情報とを用いて、前記受信した番組のジャンルごとの視聴頻度を算出する視聴頻度算出手段と、前記受信した番組、およびこの番組に対応する前記番組情報データを記録する記録手段と、前記記録手段に記録されている記録番組の記録開始終了時刻、番組名、ジャンル情報、および前記記録番組が視聴済みであるか未視聴であるかを示す視聴情報を含む記録番組リストを生成し保持する記録番組情報生成手段と、外部操作に応じて入力される複数のジャンル情報とその各ジャンル情報が示すジャンルに対するユーザの嗜好度とを含む嗜好情報を生成する嗜好情報生成手段と、前記視聴頻度と前記電子番組表情報と前記嗜好情報とを用いて、前記放送予定の複数の番組の中からユーザの視聴優先度を算出し、この算出した視聴優先度が低い番組から順に所定数の非視聴番組を策定する非視聴番組策定手段と、未視聴の前記記録番組のうち、ユーザの嗜好度が高いジャンルの前記記録番組であり、かつ、前記非視聴番組の放送時間内に完結する前記記録番組から順に前記所定数選択し、この選択した記録番組を再生候補番組として策定する再生候補番組策定手段と、前記電子番組表における前記所定数の非視聴番組の番組内容表示を前記所定数の再生候補番組の番組内容表示に差し替えて表示する番組表変更表示手段と、前記所定数の再生候補番組のうちのいずれかを再生する指示が入力された場合、前記非視聴番組の番組内容と前記再生候補番組の番組内容とをともに表示した選択画面を生成して表示する選択画面表示手段とを備えることを特徴とする。
【００１２】
また、本発明の受信記録再生装置は、複数の番組と、その各番組の放送開始終了時刻、番組名、およびジャンル情報を有する番組情報データとを含んで放送される放送波から所望の番組を受信する受信手段と、放送予定の複数の番組の放送開始終了時刻、番組名、およびジャンル情報を含む電子番組表情報を取得する電子番組表取得手段と、受信した前記番組、およびこの番組に対応する前記番組情報データを記録する記録手段と、前記記録手段に記録されている記録番組の記録開始終了時刻、番組名、ジャンル情報、および前記記録番組が視聴済みであるか未視聴であるかを示す視聴情報を含む記録番組リストを生成し保持する記録番組情報生成手段と、外部操作に応じて入力される複数のジャンル情報とその各ジャンル情報が示すジャンルに対するユーザの嗜好度とを含む嗜好情報を生成する嗜好情報生成手段と、電子番組表の表示中に外部操作に応じて、前記放送予定の複数の番組の中からユーザが視聴しないと判断した非視聴番組の選択指示が入力された場合、未視聴の前記各記録番組の記録開始終了時刻からの経過時間、および前記嗜好情報を用いて、未視聴の前記各記録番組の中から再生候補番組を選択する選択手段と、前記電子番組表における前記非視聴番組の番組内容表示を前記再生候補番組の番組内容表示に差し替えて表示する番組表変更表示手段とを備えることを特徴とする。
【発明の効果】
【００１３】
本発明の受信記録再生装置によれば、電子番組表においてユーザの視聴優先度が低いと想定される非視聴番組の表示内容を、ユーザの嗜好度の高い順に選択された記録済み未視聴番組の番組内容表示に差し替えて表示するので、未視聴の記録済み番組の視聴を促進することができる。
【発明を実施するための最良の形態】
【００１４】
以下、本発明の受信記録再生装置を実施するための最良の形態について、図面を参照して説明する。
【００１５】
（第１の実施の形態）
図１は本発明の第１の実施の形態に係る受信記録再生装置の構成を示すブロック図である。図１に示すように第１の実施の形態に係る受信記録再生装置は、アンテナ１と、チューナ部２と、多重分離部３と、音声デコード部４と、映像デコード部５と、音声処理部６と、映像処理部７と、音声出力部８と、映像出力部９と、番組情報管理部１０と、情報記録再生管理部１１と、情報記録再生処理部１２と、操作入力部１３と、制御部１４と、メモリ１５と、ＯＳＤ部１６とを備える。
【００１６】
チューナ部２は、所望の番組を放送するチャンネルのデジタル放送電波を、アンテナ１を介して受信し、受信したデジタル放送電波に復調処理や誤り訂正処理等を施して、トランスポートストリーム形式のデジタル信号を出力する。
【００１７】
多重分離部３は、チューナ部２から出力されるトランスポートストリームをＴＳパケットに分離し、そのＴＳパケットから所望の番組の音声パケット、映像パケット、およびそれ以外の制御情報データを抽出する。多重分離部３は、抽出した音声パケットを音声デコード部４に供給し、映像パケットを映像デコード部５に供給し、制御情報データを番組情報管理部１０に供給する。
【００１８】
音声デコード部４は、多重分離部３で分離された音声パケットをデコード処理して、音声データを復元する。映像デコード部５は、多重分離部３で分離された映像パケットをデコード処理して、映像データを復元する。
【００１９】
音声処理部６は、音声デコード部４から出力される音声データをスピーカなどからなる音声出力部８で出力できる音声信号に変換する。音声出力部８は、音声処理部６から入力される音声信号を音声に変換して放音する。
【００２０】
映像処理部７は、映像デコード部５から出力される映像データをモニタなどからなる映像出力部９に表示できる映像信号に変換する。映像出力部９は、映像処理部７から入力される映像信号を映像に変換して表示する。
【００２１】
番組情報管理部１０は、多重分離部３で抽出された情報データから番組に関する番組情報データのみを取得し、番組情報データから得られる番組情報を保持する。番組情報には、対応する番組の放送開始終了時刻、番組名、ジャンル情報、番組内容情報等が含まれている。
【００２２】
また、番組情報管理部１０は、デジタル放送電波に含まれる電子番組表（ＥＰＧ）情報を取得し、これを保持する。電子番組表情報には、各放送番組の放送開始終了時刻、番組名、ジャンル情報、番組内容情報等が含まれている。
【００２３】
情報記録再生管理部１１は、制御部１４からの指示に基づいて、情報記録再生処理部１２に対して番組の記録／再生の指示を出力する。
【００２４】
情報記録再生処理部１２は、ＨＤＤ等からなり、情報記録再生管理部１１からの指示に基づいて、多重分離部３で分離された音声パケットおよび音声パケットを格納する。
【００２５】
操作入力部１３は、例えばリモコンからなり、ユーザ操作により入力される番組選択、番組表の表示、記録再生の指示などの各種の指示を受けて、操作情報を制御部１４に供給する。
【００２６】
制御部１４は、装置に設けられた各部を統括的に制御する。また、制御部１４は、ユーザによる操作入力部１３の操作に応じて入力される複数のジャンルとその各ジャンルに対するユーザの嗜好度とを含む嗜好情報を生成する。
【００２７】
また、制御部１４は、受信して再生した番組の放送開始終了時刻、番組名、およびジャンル情報を蓄積して視聴履歴情報を生成するとともに、この視聴履歴情報と電子番組表情報とを用いて、ジャンルごとの視聴頻度を示す視聴履歴ヒストグラムを生成する。
【００２８】
また、制御部１４は、情報記録再生処理部１２に記録されている記録番組の記録開始終了時刻、番組名、ジャンル情報、および当該記録番組が視聴済みであるか未視聴であるかを示す視聴情報を含む記録番組リストを生成する。
【００２９】
また、制御部１４は、視聴履歴ヒストグラムと電子番組表情報と嗜好情報とを用いて、放送予定の番組の中からユーザの視聴優先度が低いと想定される非視聴番組を策定するとともに、情報記録再生処理部１２に記録されている未視聴の記録番組の中から、ユーザの嗜好度が高いジャンルから順に、非視聴番組の放送時間内に完結する記録番組を再生候補番組として策定する。
【００３０】
また、制御部１４は、電子番組表における非視聴番組の番組内容表示を再生候補番組の番組内容表示に差し替えて表示するための表示画面を生成するようにＯＳＤ部１６を制御する。
【００３１】
また、制御部１４は、再生候補番組を再生する指示が入力された場合、非視聴番組の番組内容と再生候補番組の番組内容とをともに表示した選択画面を生成するようにＯＳＤ部１６を制御する。
【００３２】
メモリ１５は、制御部１４で生成された視聴履歴情報、視聴履歴ヒストグラム、記録番組リスト、嗜好情報等の各種情報を記憶する。
【００３３】
ＯＳＤ部１６は、電子番組表やメニュー画面等を表示するための表示画面を生成してこれを映像処理部７に供給する。
【００３４】
次に、以上のように構成された受信記録再生装置の動作について説明する。まず、放送番組を受信して再生する際の動作について説明する。
【００３５】
チューナ部２は制御部１４の制御の下、操作入力部１３からの操作情報に基づいて、ユーザが指示した番組を放送するチャンネルのデジタル放送電波を受信し、受信したデジタル放送電波に復調処理や誤り訂正処理等を施して、トランスポートストリーム形式のデジタル信号を出力する。
【００３６】
次いで、多重分離部３は、チューナ部２から出力されるトランスポートストリームをＴＳパケットに分離し、そのＴＳパケットから所望の番組の音声パケット、映像パケット、およびそれ以外の制御情報データを抽出して、音声デコード部４、映像デコード部５、番組情報管理部１０にそれぞれ供給する。
【００３７】
そして、音声デコード部４は、多重分離部３からの音声パケットをデコード処理して、音声データを音声処理部６に供給する。また、映像デコード部５は、多重分離部３からの映像パケットをデコード処理して、映像データを映像処理部７に供給する。その後、音声処理部６から音声信号が音声出力部８に、映像処理部７から映像信号が映像出力部９にそれぞれ供給され、音声および映像が出力される。
【００３８】
また、番組情報管理部１０は、多重分離部３で抽出された情報データから番組に関する番組情報データのみを取得し、番組情報データから得られる番組情報を保持する。
【００３９】
制御部１４は、ユーザが指示した番組を受信すると、番組情報管理部１０に格納される番組情報を利用して、番組の放送開始終了時刻、番組名、ジャンル情報を取得し、これらの情報を蓄積して所定期間における視聴履歴情報を生成し、これをメモリ１５に記録する。図２に視聴履歴情報の一例を示す。番組のジャンルとしては、第１のジャンルＪ１と、この第１のジャンルＪ１より細かな分類からなる第２のジャンルＪ２とが含まれる。
【００４０】
また、制御部１４は、視聴履歴情報と電子番組表情報とを用いて、ジャンルごとの視聴頻度を示す視聴履歴ヒストグラムを生成し、これをメモリ１５に記録する。図３に視聴履歴ヒストグラムの一例を示す。図３に示すように視聴履歴ヒストグラムには、所定期間における各ジャンルの番組のすべての放送回数と、ユーザが視聴した回数との比率により、視聴頻度のランク（Ａ〜Ｆ）を記述している。
【００４１】
なお、本説明では、視聴頻度を示す情報として視聴履歴ヒストグラムを用いた例を説明しているが、視聴頻度を示す情報であれば視聴履歴ヒストグラム以外のどのような情報を用いてもよい。
【００４２】
次に、受信した放送番組を記録する際の動作について説明する。
【００４３】
チューナ部２は制御部１４の制御の下、操作入力部１３からの操作情報に基づいて、ユーザが指示した番組を放送するチャンネルのデジタル放送電波を受信し、受信したデジタル放送電波をトランスポートストリーム形式のデジタル信号に変換してこれを多重分離部３に出力する。
【００４４】
次いで、多重分離部３は、チューナ部２から出力されるトランスポートストリームをＴＳパケットに分離し、そのＴＳパケットから所望の番組の音声パケット、映像パケット、およびそれ以外の制御情報データを抽出する。多重分離部３で分離された音声パケットおよび映像パケットは情報記録再生処理部１２に記録され、制御情報データは番組情報管理部１０に供給される。番組情報管理部１０は、多重分離部３で抽出された情報データから番組に関する番組情報データのみを取得し、番組情報データから得られる番組情報を保持する。
【００４５】
制御部１４は、ユーザが指示した番組を記録すると、番組情報管理部１０に格納される番組情報を利用して、記録番組の記録開始終了時刻、番組名、ジャンル情報、および当該記録番組が視聴済みであるか未視聴であるかを示す視聴情報を含む記録番組リストを生成し、これをメモリ１５に記録する。
【００４６】
記録した番組の再生時には、制御部１４の制御の下、情報記録再生管理部１１の指示により情報記録再生処理部１２から読み出された所望の番組の音声パケット、映像パケットは、多重分離部３を通過して音声デコード部４、映像デコード部５にそれぞれ入力される。
【００４７】
そして、音声デコード部４は、多重分離部３からの音声パケットをデコード処理して、音声データを音声処理部６に供給する。また、映像デコード部５は、多重分離部３からの映像パケットをデコード処理して、映像データを映像処理部７に供給する。その後、音声処理部６から音声信号が音声出力部８に、映像処理部７から映像信号が映像出力部９にそれぞれ供給され、音声および映像が出力される。
【００４８】
次に、第１の実施の形態に係る受信記録再生装置において、表示内容を変更した電子番組表を表示する手順について、図４に示すフローチャートを参照して説明する。
【００４９】
まず、操作入力部１３を介して電子番組表を表示する指示が入力されると、ステップＳ１１０において、制御部１４は、受信中のデジタル放送電波から現在時刻を示す時刻情報を取得する。次に、ステップＳ１２０において、制御部１４は、受信中のデジタル放送電波に含まれる電子番組表情報を取得するように番組情報管理部１０を制御する。
【００５０】
次に、ステップＳ１３０において、制御部１４は、電子番組表情報と視聴履歴ヒストグラムと嗜好情報とを用いて、放送予定の番組の中からユーザの視聴優先度が低いと想定される非視聴番組枠が存在するか否かを判断する。
【００５１】
嗜好情報は、図５に示すように、複数のジャンルとその各ジャンルに対するユーザの嗜好度（評価）とを含むものである。制御部１４は、予めユーザによる操作入力部１３の操作に応じて図５に示すような嗜好情報を生成し、メモリ１５に記憶している。
【００５２】
制御部１４は、視聴履歴ヒストグラムと嗜好情報とに基づいて、図６に示すように、各ジャンルの視聴優先度（ランクＡ〜Ｆ）を決定し、視聴優先度が低いジャンルの番組枠である非視聴番組枠を電子番組表情報から検索する。例えば、図６においてランクＦのジャンル（時代劇、ホームドラマ、洋画、クラシック、洋楽、演歌）から非視聴番組枠を検索する。非視聴番組枠が存在する場合（ステップＳ１３０：ＹＥＳ）、ステップＳ１４０に進み、非視聴番組枠が存在しない場合（ステップＳ１３０：ＮＯ）、通常の電子番組表を表示して処理を終了する。
【００５３】
ステップＳ１４０において、制御部１４は、記録番組リストおよび嗜好情報に基づいて、情報記録再生処理部１２に記録されている未視聴の記録番組の中から、ユーザの嗜好度が高いジャンルから順に、非視聴番組枠の放送時間内に完結する記録番組を再生候補番組として策定する。
【００５４】
次に、ステップＳ１５０において、制御部１４は、電子番組表における非視聴番組枠の番組内容表示を再生候補番組の番組内容表示に差し替えて表示するための表示画面をＯＳＤ部１６に生成させる。そして、表示内容を変更した電子番組表が映像処理部７を介して映像出力部９に表示される。
【００５５】
以上の処理により、図７に示す電子番組表の非視聴番組２１の番組内容表示を、図８に示す再生候補番組２２の番組内容表示に差し替えて表示することができる。
【００５６】
次に、視聴番組を選択する手順について、図９に示すフローチャートを参照して説明する。
【００５７】
図８に示すような表示内容変更後の電子番組表が表示されている状態で、ステップＳ２１０において、ユーザ操作に応じた再生候補番組２２の番組欄を選択する指示が操作入力部１３を介して入力されると、ステップＳ２２０において、制御部１４は、非視聴番組２１の番組内容と再生候補番組２２の番組内容とをともに表示する選択画面をＯＳＤ部１６に生成させる。そして、図１０に示すような選択画面が映像処理部７を介して映像出力部９に表示される。ユーザは図１０に示す選択画面により、非視聴番組２１と再生候補番組２２のいずれを視聴するかを選択することができる。
【００５８】
次に、ステップＳ２３０において、制御部１４は、ユーザが非視聴番組２１と再生候補番組２２のいずれかを選択した操作情報を操作入力部１３から受け取ると、この操作情報に基づき、非視聴番組２１が選択されたか否かを判断する。
【００５９】
非視聴番組２１が選択された場合（ステップＳ２３０：ＹＥＳ）、ステップＳ２４０において、制御部１４は、非視聴番組２１の再生予約を実行する。非視聴番組２１が選択されなかった場合（ステップＳ２３０：ＮＯ）、ステップＳ２５０において、制御部１４は、再生候補番組２２の再生予約を実行する。
【００６０】
そして、ステップＳ２６０において、制御部１４は、非視聴番組２１と再生候補番組２２のうち選択された番組の番組内容を表示する電子番組表の表示画面をＯＳＤ部１６に生成させ、映像出力部９に表示させるとともに、選択された番組の再生予約を登録した電子番組表をメモリ１５に記憶する。図１１に再生候補番組２２が選択されて再生予約された場合の電子番組表の一例を示す。
【００６１】
このように第１の実施の形態によれば、電子番組表においてユーザの視聴優先度が低いと想定される非視聴番組２１の表示内容を、記録済み未視聴番組の中からユーザの嗜好度の高い順に選択された再生候補番組２２の番組内容表示に差し替えて表示するので、ユーザが好みの番組が存在しない時間帯の有無を意識せずに、大量に記録された番組のうち未視聴のまま保存されている番組を優先的に視聴することが可能になり、未視聴の記録済み番組の視聴を促進することができる。
【００６２】
また、表示内容変更後の電子番組表において再生候補番組２２の番組欄が選択されると、非視聴番組２１の番組内容と再生候補番組２２の番組内容とをともに表示した選択画面を表示するので、放送中の番組と記録済み未視聴番組とのどちらを視聴するかを、ユーザに簡易に比較、選択させることができる。
【００６３】
なお、上記説明では電子番組表情報をデジタル放送電波から取得しているが、電子番組表情報の取得方法はこれに限定されるものではなく、ＥＰＧ専用チャンネルの放送信号から取得してもよいし、インターネットから取得してもよい。
【００６４】
（第２の実施の形態）
第１の実施の形態では、ジャンルごとの視聴頻度を示す視聴履歴ヒストグラムと予め設定された嗜好情報とを用いて、放送予定の番組の中からユーザの視聴優先度が低いと想定される非視聴番組を策定したが、第２の実施の形態では、表示された電子番組表からユーザが視聴意思がないとして選択した番組を非視聴番組とする。なお、第２の実施の形態に係る受信記録再生装置の構成は、図１に示す第１の実施の形態に係る受信記録再生装置と同様である。
【００６５】
第２の実施の形態に係る受信記録再生装置において、表示内容を変更した電子番組表を表示する手順について、図１２に示すフローチャートを参照して説明する。
【００６６】
まず、操作入力部１３を介して電子番組表を表示する指示が入力されると、ステップＳ３１０において、制御部１４は、受信中のデジタル放送電波に含まれる電子番組表情報を取得するように番組情報管理部１０を制御する。そして、制御部１４は、電子番組表の表示画面をＯＳＤ部１６に生成させ、生成した表示画面を映像処理部７により映像出力部９に表示させる。
【００６７】
ユーザは電子番組表の表示画面より視聴意思がない番組を非視聴番組として選択する。図１３に非視聴番組２３が選択された状態の電子番組表の一例を示す。制御部１４は、ユーザが非視聴番組２３を選択した操作情報を操作入力部１３から受け取ると、ステップＳ３３０において、情報記録再生処理部１２に記録されている未視聴の記録番組であり、非視聴番組２３の放送時間内に完結する記録番組の中から、当該記録番組の記録開始終了時刻からの経過時間、および嗜好情報を参照して、視聴優先度の高い番組を再生候補番組として選択する。
【００６８】
次に、ステップＳ３４０において、制御部１４は、電子番組表における非視聴番組２３の番組内容表示を再生候補番組の番組内容表示に差し替えて表示するための表示画面をＯＳＤ部１６に生成させる。そして、表示内容を変更した電子番組表が映像処理部７を介して映像出力部９に表示される。図１４に非視聴番組２３の番組内容表示を再生候補番組２４の番組内容表示に差し替えて表示した電子番組表の一例を示す。ユーザは図１４に示す電子番組表の表示画面により、再生候補番組２４を再生予約するか否かを選択することができる。
【００６９】
次に、ステップＳ３５０において、制御部１４は、ユーザ操作に応じた再生候補番組２４の再生予約を行う指示が操作入力部１３から入力されたか否かを判断する。再生予約を行う指示が入力された場合（ステップＳ３５０：ＹＥＳ）、ステップＳ３６０において、制御部１４は、再生候補番組２４の再生予約を実行し、その後ステップＳ３７０に進む。再生予約を行う指示が入力されない場合（ステップＳ３５０：ＮＯ）、ステップＳ３７０に進む。
【００７０】
ステップＳ３７０において、制御部１４は、ユーザ操作に応じた操作情報に基づいて、新たな非視聴番組を選択するか否かを判断する。新たな非視聴番組を選択する場合（ステップＳ３７０：ＹＥＳ）、ステップＳ３２０に戻り、以降の処理を繰り返す。新たな非視聴番組を選択しない場合（ステップＳ３７０：ＮＯ）、ステップＳ３８０において、制御部１４は、非視聴番組２３の番組内容表示を再生候補番組２４の番組内容表示に差し替えた電子番組表の表示画面をＯＳＤ部１６に生成させ、映像出力部９に表示させるとともに、再生候補番組２４の再生予約を登録した電子番組表をメモリ１５に記憶する。
【００７１】
このように第２の実施の形態によれば、電子番組表においてユーザが視聴意思がないとして選択した非視聴番組２３の表示内容を、記録済み未視聴番組の中から選択される再生候補番組２４の番組内容表示に差し替えて表示するので、これから視聴しようとする番組の視聴を妨げることなく、未視聴の記録済み番組の視聴を促進することができる。
【００７２】
なお、本発明の受信記録再生装置は、テレビ受信機やセットトップボックス（ＳＴＢ）とＤＶＤやＨＤＤを用いた記録装置と一体で構成される形態であってもよいし、テレビ受信機やＳＴＢとＤＶＤやＨＤＤを用いた外部記録装置が独立して構成される形態でもよい。
【図面の簡単な説明】
【００７３】
【図１】本発明の第１の実施の形態に係る受信記録再生装置の構成を示すブロック図である。
【図２】視聴履歴情報の一例を示す図である。
【図３】視聴履歴ヒストグラムの一例を示す図である。
【図４】第１の実施の形態に係る受信記録再生装置における表示内容を変更した電子番組表を表示する手順を示すフローチャートである。
【図５】嗜好情報の一例を示す図である。
【図６】視聴優先度を説明するための図である。
【図７】電子番組表の一例を示す図である。
【図８】第１の実施の形態において非視聴番組の番組内容表示を再生候補番組の番組内容表示に差し替えた電子番組表を示す図である。
【図９】第１の実施の形態に係る受信記録再生装置における視聴番組を選択する手順を示すフローチャートである。
【図１０】選択画面の一例を示す図である。
【図１１】第１の実施の形態において再生候補番組が選択されて再生予約された場合の電子番組表の一例を示す図である。
【図１２】第２の実施の形態に係る受信記録再生装置における表示内容を変更した電子番組表を表示する手順を示すフローチャートである。
【図１３】第２の実施の形態において非視聴番組が選択された状態の電子番組表の一例を示す図である。
【図１４】第２の実施の形態において非視聴番組の番組内容表示を再生候補番組の番組内容表示に差し替えて表示した電子番組表の一例を示す図である。
【符号の説明】
【００７４】
１  アンテナ
２  チューナ部
３  多重分離部
４  音声デコード部
５  映像デコード部
６  音声処理部
７  映像処理部
８  音声出力部
９  映像出力部
１０  番組情報管理部
１１  情報記録再生管理部
１２  情報記録再生処理部
１３  操作入力部
１４  制御部
１５  メモリ
１６  ＯＳＤ部
【図１】
2008277958.tif 000003
【図２】
2008277958.tif 000004
【図３】
2008277958.tif 000005
【図４】
2008277958.tif 000006
【図５】
2008277958.tif 000007
【図６】
2008277958.tif 000008
【図７】
2008277958.tif 000009
【図８】
2008277958.tif 000010
【図９】
2008277958.tif 000011
【図１０】
2008277958.tif 000012
【図１１】
2008277958.tif 000013
【図１２】
2008277958.tif 000014
【図１３】
2008277958.tif 000015
【図１４】
2008277958.tif 000016